(57)【特許請求の範囲】
【請求項１】
トラック間に、次のトラックの再生開始までのインターバル部分となるポーズエリアを有する記録媒体の再生を行う再生部と、前記記録媒体のプログラム領域を参照して得られる、トラックとこれの直前にあるポーズエリアを示すトラック番号、トラックとこれの直後にあるポーズエリアの各再生時間の和である総再生時間、および前記再生部が再生している前記トラックと前記ポーズエリアの各再生経過時間を入力し、前記再生部による前記記録媒体の再生状況を示す情報を表示部に表示させる表示制御部とを備える再生装置において、
前記表示制御部は、前記再生部がポーズエリアを再生している場合に、当該ポーズエリアの直前に再生されたトラックのトラック番号を当該ポーズエリアに対応付けて前記表示部に表示させると共に、当該ポーズエリアの再生経過時間を、前記直前のトラックの再生が終了した際の再生経過時間に連続させて前記総再生時間までカウントアップして前記表示部に表示させることを特徴とする再生装置。
【請求項２】
トラック間に、次のトラックの再生開始までのインターバル部分となるポーズエリアを有する光ディスクを再生し、前記光ディスクのプログラム領域を参照して得られる、トラックとこれの直前にあるポーズエリアを示すトラック番号、トラックとこれの直後にあるポーズエリアの各再生時間の和である総再生時間、および再生している前記トラックと前記ポーズエリアの各再生経過時間を入力し、前記光ディスクの再生状況を示す情報を表示するディスク情報表示方法において、
表示制御部は、前記ポーズエリアを再生している場合に、当該ポーズエリアの直前に再生されたトラックのトラック番号を当該ポーズエリアに対応付けて表示するステップと、
当該ポーズエリアの再生経過時間を、前記直前のトラックの再生が終了した際の再生経過時間に連続させて前記総再生時間までカウントアップして表示するステップとを備えたことを特徴とするディスク情報表示方法。
【発明の詳細な説明】
【技術分野】
【０００１】
この発明は、トラック間にポーズエリアを有する光ディスクなどの記録媒体の再生状況を表示する再生装置およびディスク情報表示方法に関するものである。
【背景技術】
【０００２】
一般的に光ディスクの記録面は最内周から最外周に向けて構成された、ＰＣＡ領域（Power Calibration Area）、ＰＭＡ領域（Program Memory Area）、リードイン領域（Lead-In Area）、トラック、リードアウト領域（Lead-Out Area）の各領域からなる。トラックには音楽情報などが記録され、複数のトラックで構成される場合もある。その場合、各トラック間にポーズエリアと呼ばれる領域を設けることが可能であり、当該ポーズエリアは次のトラックの再生開始までのインターバル部分となる。トラック間にポーズエリアが設けられている場合であっても、ＰＭＡ領域やリードイン領域のＴＯＣ（Table of Contents）情報として記録されているトラックの開始時間は、ポーズエリアの後ろに位置するトラックの先頭時間を示す。一方、ＴＯＣ情報には各トラックの終了時間は記録されていない。また、トラックの終了位置は、次のトラックの前に設けられたポーズエリアの先頭位置に連続する。【０００３】
図５（ａ）は、トラックとポーズエリアの構成を示す図であり、トラック番号「０３」の領域はポーズエリアＰ３とトラックＴ３で構成され、トラック番号「０４」の領域はポーズエリアＰ４とトラックＴ４で構成される。
トラックＴ３の開始位置ｔ３およびトラックＴ４の開始位置ｔ４の開始時間は、ＴＯＣ情報から取得することができる。開始時間は、図５（ｂ）に示すように、対応するトラック番号と「ＭＩＮ」、「ＳＥＣ」、「ＦＲＡＭＥ」で表されたトラック開始時間で表わされる。トラック開始時間は、ディスクの先頭からの位置を示している。【０００４】
一方、ＴＯＣ情報にはトラックＴ３，Ｔ４の終了時間は記録されていない。また、トラックＴ３の終了位置は、次のトラックＴ４のポーズエリアＰ４の先頭位置に連続する。これにより、各トラックの総再生時間はトラックの再生時間長と、後続するトラックのポーズエリアの再生時間長との和で示される。図５（ａ）の例を用いて具体的に示すと、トラックＴ４の開始位置ｔ４の開始時間から、トラックＴ３の開始位置ｔ３の開始時間を差し引いた時間がＴｒａｃｋ３の総再生時間となる。そのため、Ｔｒａｃｋ３の総再生時間には、後続するＴｒａｃｋ４のポーズエリアＰ４の再生時間長が含まれる。【０００５】
次に、このポーズエリアを有する光ディスクの再生時間の表示例を図６に示す。図６（ａ）に示すように、ポーズエリアの再生経過時間はマイナス表記の数値をカウントダウンすることで更新される。一方、トラックの再生経過時間は、数値をカウントアップすることで更新される。また、図６（ｂ）および図６（ｃ）に示すように、トラックＴ３の再生終了位置では、再生経過時間／総再生時間が「２：５５／３：００」で示されるが、ポーズエリアＰ４に移行すると、Ｔｒａｃｋ３の総再生時間内であるにも関わらず、トラック番号「０４」に進み、ポーズエリアＴ４のカウントダウンが開始する。そのため、表示上では、Ｔｒａｃｋ３の総再生時間「３：００」までカウントアップされる前に、Ｔｒａｃｋ４のカウントに移行すると共に、ポーズエリアの再生経過時間がマイナス表示される。この表示により、ユーザが違和感を覚える、あるいは光ディスクに不具合が発生したのではないかと誤認識するという問題があった。【０００６】
各トラックの現在再生時刻および残再生時間を取得する方法が特許文献１に開示されている。この方法では、デジタルオーディオを再生可能なＤＶＤビデオにおいて、再生すべきデータが複数種類のパック（データ転送処理を行う際の最小単位）の組み合わせで構成され、複数種類のパックのビット転送レートがそれぞれ異なるためにパックを利用して時間を取得することができない場合に、デジタルオーディオデータからトラックのスタート時間データと、現在再生中のパックの再生タイミングデータと、トラックの再生時間データとを取得し、取得したデータを基に現在再生時刻および残再生時間を所定の計算式を用いて取得する。
【先行技術文献】
【特許文献】
【０００７】
【特許文献１】特開２０００−１７３２４８号公報
【発明の概要】
【発明が解決しようとする課題】
【０００８】
しかしながら、上述した特許文献１に開示された技術では、トラック間にポーズエリアが設けられた記録媒体の再生は想定されておらず、ポーズエリアにおける再生経過時間の表示において、総再生時間に到達する前に次のトラックの表示に移行する点や、ポーズエリアの再生経過時間がマイナス表示される点を改善することはできず、ユーザに違和感を与える、あるいは誤認識を招くといった不具合を解消することができないという課題があった。【０００９】
この発明は上記のような課題を解決するためになされたもので、ポーズエリアを再生している場合の再生位置情報の表示において、ユーザに違和感を与えず、且つ誤認識を招くことのない表示を行うことを目的とする。
【課題を解決するための手段】
【００１０】
この発明に係る再生装置は、再生部がポーズエリアを再生している場合に、表示制御部が、当該ポーズエリアの直前に再生されたトラックのトラック番号を当該ポーズエリアに対応付けて表示部に表示させると共に、当該ポーズエリアの再生経過時間を、直前のトラックの再生が終了した際の再生経過時間に連続させて総再生時間までカウントアップして表示部に表示させるものである。
【発明の効果】
【００１１】
この発明によれば、ポーズエリアを再生している場合の再生位置情報の表示において、ユーザに違和感を与えるあるいはユーザが誤認識するのを防止することができる。
【図面の簡単な説明】
【００１２】
【図１】実施の形態１による再生装置の構成を示すブロック図である。
【図２】実施の形態１による再生装置の動作を示すフローチャートである。
【図３】実施の形態１による再生装置の表示例を示す図である。
【図４】実施の形態１による再生装置の表示例を示す図である。
【図５】トラックおよびポーズエリアの構成を示す図である。
【図６】ＴＯＣ情報に基づいた再生位置情報の表示例を示す図である。
【発明を実施するための形態】
【００１３】
以下、この発明をより詳細に説明するために、この発明を実施するための形態について、添付の図面に従って説明する。
実施の形態１．
図１は、この発明の実施の形態１による再生装置の構成を示すブロック図である。
再生装置１０は、再生部１、ピックアップ２、アンプ３、表示制御部４を備えている。また、再生装置１０には、再生した音楽情報や映像情報を出力するスピーカ２０やディスプレイ３０、再生装置１０が再生している音楽情報や映像情報の再生状況を示す表示装置（表示部）４０が接続される。なお以下では、図１を参照しながら、光ディスク（記録媒体）５０が、音楽情報などが記録されたＣＤである場合を例に説明を行う。なお、ディスプレイ３０と表示装置４０は、同一の表示手段で構成してもよい。
【００１４】
光ディスク５０を再生する際、再生部１はピックアップ２を駆動して、光ディスク５０に記録された音楽情報などを読み取る。光ディスク５０から読み取られた音楽情報は、アンプ３で増幅された後、再生部１でデコードされて、音楽信号として出力され、スピーカ２０から音楽（音響）として出力される。
【００１５】
光ディスク５０には音楽情報の曲数（トラックの数）、各トラックの開始位置、音楽情報を再生している場合には再生しているトラック位置や再生経過時間などを示すＴＯＣ情報がプログラム領域に記録されており、音楽情報を再生する際にはＴＯＣ情報も再生部１に与えられる。また、トラック間にポーズエリアを有する場合に、ポーズエリアの時間情報などもＴＯＣ情報として格納されている。
【００１６】
ＴＯＣ情報は再生部１を介して表示制御部４に入力され、表示制御部４がＴＯＣ情報から曲番号情報および当該曲番号情報に係る音楽の演奏時間および音楽の再生を開始してからの時間である再生経過時間などを取得する。さらに表示制御部４は、取得した情報に基づいて、表示装置４０に表示させる曲番号情報、および総再生時間に対する現在の再生経過時間を算出し、表示装置４０に表示させる制御を行う。
【００１７】
表示制御部４は、各トラックを再生している際には従来と同一の表示制御を行うが、ポーズエリアを再生している際にトラック番号を変更して表示し、さらに再生経過時間のカウントダウン表示をカウントアップ表示に変更する特徴的な処理を行う。これらの特徴的な表示処理について図２を参照しながら説明を行う。
【００１８】
図２は、実施の形態１による再生装置の表示制御部の動作を示すフローチャートである。
表示制御部４は、再生部１から入力されるＴＯＣ情報を参照し、再生中のトラックの総再生時間および現在の再生時間から、ポーズエリアを再生しているか否か判定を行う（ステップＳＴ１）。ポーズエリアを再生している場合（ステップＳＴ１；ＹＥＳ）、表示制御部４はＴＯＣ情報のトラック番号情報から取得したトラック番号から「１」減算した値を現在のトラック番号とする（ステップＳＴ２）。さらに、ＴＯＣ情報からステップＳＴ２で算出したトラック番号の総再生時間および現在のポーズエリアの再生経過時間を取得し、取得した総再生時間にポーズエリアの再生経過時間を加算し、さらに「１秒」加算した値を、現在の再生経過時間とする（ステップＳＴ３）。
【００１９】
一方、ポーズエリアを再生していない場合（ステップＳＴ１；ＮＯ）、表示制御部４はＴＯＣ情報のトラック番号を現在のトラック番号とし（ステップＳＴ４）、ＴＯＣ情報から取得した再生経過時間を現在の再生経過時間とする（ステップＳＴ５）。
ステップＳＴ３またはステップＳＴ５の処理の後、フローはステップＳＴ１の判定処理に戻る。
【００２０】
ポーズエリア再生中に、図２で示すステップＳＴ２およびステップＳＴ３の処理を行った場合に、表示装置４０に表示されるトラック番号、再生経過時間／総再生時間の例を図３に示す。
図３では、トラックＴ３、トラックＴ４およびトラックＴ４の先頭に設けられたポーズエリアＰ４を示している。また、各地点の再生経過時間の表示において、上段に従来の表示例を示し、下段に表示制御部４を介した表示例を示している。トラックＴ３の再生位置ｔ３ａ，ｔ３ｂおよびトラックＴ４の再生位置ｔ４ａでは、ポーズエリアの再生ではないと判断されるため、ステップＳＴ４およびステップＳＴ５の表示処理が行われ、ＴＯＣ情報から取得された情報が再生位置情報として表示される。そのため、従来の表示例と表示制御部４を介した表示例との間に差異はない。
【００２１】
一方、ポーズエリアの再生位置ｐ４ａでは、ＴＯＣ情報からトラック番号「４」および再生経過時間「−０：０４」が取得される。そのため、表示制御部４は、ステップＳＴ２としてトラック番号「４」から「１」を減算してトラック番号「３」とし、ステップＳＴ３としてＴＯＣ情報からトラック番号「３」の総再生時間「３：００」を取得し、取得した総再生時間「３：００」に再生経過時間「−０：０４」を加算し、さらに「０：０１」を加算し、現在の再生経過時間を「２：５７」と算出する。これにより、従来では「Ｔｒａｃｋ  ０３  ＬＡＰ  −０：０４／４：００」と表示されるが、表示制御部４が表示制御を行うことにより「Ｔｒａｃｋ  ０３  ＬＡＰ  ２：５７／３：００」と表示される。
【００２２】
図４は、従来の表示例と、表示制御部４を介した表示例とをより詳細に示している。
従来の表示例では、トラック番号「３」の再生経過時間／総再生時間「２：５５／３：００」以降のポーズエリアＰ４において、トラック番号「４」に移行し、再生経過時間がマイナス表記のカウントダウンとなり、総再生時間としてトラック番号「４」の総再生時間が表示される。
一方、表示制御部４の表示制御に基づいた表示では、トラック番号「３」の再生経過時間／総再生時間「２：５５／３：００」以降のポーズエリアＰ４において、トラック番号「３」のまま、再生経過時間「３：００」までカウントアップされた後、トラック番号「４」に移行し、トラック番号「４」の総再生時間に対するカウントアップが行われる。
【００２３】
このように、ポーズエリアＰ４において、上述したステップＳＴ２およびステップＳＴ３の表示制御を行うことにより、図３および図４の例では、Ｔｒａｃｋ４の先頭に設けられたポーズエリアＰ４をＴｒａｃｋ３の領域とみなし、Ｔｒａｃｋ３の総再生時間に対するカウントアップ表示を行うことができる。そのため、Ｔｒａｃｋ３の総再生時間に到達するまでカウントすると共に、ポーズエリアの再生経過時間をカウントアップ表示で提示することができる。
【００２４】
以上のように、この実施の形態１によれば、ポーズエリアを再生していると判定した場合に、ＴＯＣ情報で示されたトラック番号から「１」減算して表示し、さらに減算した後のトラック番号の総再生時間を表示し、さらに当該総再生時間からＴＯＣ情報から取得可能なポーズエリアの再生経過時間および「１秒」を加算して、再生しているポーズエリアの再生経過時間をカウントアップして表示する法事制御部４を備えるように構成したので、ポーズエリアが設けられている場合にも各トラックの総再生時間に到達するまでカウントすることができ、さらにポーズエリアの再生経過時間をカウントアップして表示することができる。これにより、総再生時間に到達する前に次のトラック番号のカウントに移行する、およびポーズエリアの再生経過時間がマイナス表示されることがなくなり、ユーザに違和感を与える、あるいは光ディスクに不具合が発生したのではないかと誤認識させるのを抑制することができる。
【００２５】
なお、本願発明はその発明の範囲内において、実施の形態の任意の構成要素の変形、もしくは実施の形態の任意の構成要素の省略が可能である。
【産業上の利用可能性】
【００２６】
以上のように、この発明に係る再生装置は、ユーザに違和感を与えない表示を実現したオーディオ再生装置などに利用することができる。
【符号の説明】
【００２７】
１  再生部、２  ピックアップ、３  アンプ、４  表示制御部、１０  再生装置、２０  スピーカ、３０  ディスプレイ、４０  表示装置、５０  光ディスク。
【図１】
0005631526.tif 000002
【図２】
0005631526.tif 000003
【図３】
0005631526.tif 000004
【図４】
0005631526.tif 000005
【図５】
0005631526.tif 000006
【図６】
0005631526.tif 000007